【事件の表示】
　特許第３４３２８７１号「圧縮包装装置」の請求項１ないし４に係る特許に対する特許異議の申立てについて、次のとおり決定する。
【結　論】
　訂正を認める。
　特許第３４３２８７１号の請求項１ないし３に係る特許を維持する。
【理　由】
〔１〕手続の経緯
　本件特許第３４３２８７１号発明についての出願は、平成５年１２月２日に特許出願され、平成１５年５月２３日に特許権の設定登録がなされ、その後、北隅康彦より、全請求項（請求項の数４）に係る発明についての特許に対し特許異議の申立てがなされ、当審において取消しの理由を通知したところ、その指定期間内の平成１６年７月１６日に意見書とともに、訂正請求がなされた。
　
〔２〕訂正請求について
１　訂正請求の内容
　本件訂正請求の趣旨は、特許第３４３２８７１号の明細書を訂正請求書に添付した訂正明細書のとおり訂正することを求めるものであり、訂正事項は以下のとおりである。
　
　訂正事項ａ
　特許請求の範囲の記載
「【請求項１】　接近又は離間することにより収縮物品を水平方向に圧縮可能に保持する一対の圧縮板と、上記物品を圧縮した状態で上記圧縮板間から物品の包装袋の開口部まで案内する一対の案内板と、上記圧縮板及び案内板を一体的に移動させ且つ上記案内板の先端部を上記包装袋内に挿脱させる圧縮板及び案内板の移動手段と、を具備すると共に、上記案内板の先端部が包装袋内にある位置で上記物品を案内板の先端部から上記包装袋内に押出す物品の押子とを具備してなり、
上記一対の案内板は、互いに水平方向に一定距離離れて設けられており、該案内板の間は、上記圧縮板で圧縮された上記物品を収縮状態で上記包装袋の開口部に案内する案内路となっており、
上記一対の案内板の下端縁同士は、水平方向に配される別の板により連結されており、該一対の案内板及び該別の板全体の縦断面形状は、コ字状となっていることを特徴とする圧縮包装装置。」を、
「【請求項１】　接近又は離間することにより、整列された状態で供給される使い捨てオムツ又は生理用ナプキンを水平方向に圧縮可能に保持する一対の圧縮板と、上記使い捨てオムツ又は生理用ナプキンを圧縮した状態で上記圧縮板間から物品の包装袋の開口部まで案内する一対の案内板と、上記圧縮板及び案内板を一体的に移動させ且つ上記案内板の先端部を上記包装袋内に挿脱させる圧縮板及び案内板の移動手段と、を具備すると共に、上記案内板の先端部が包装袋内にある位置で上記使い捨てオムツ又は生理用ナプキンを案内板の先端部から上記包装袋内に押出す物品の押子とを具備してなり、
　上記一対の案内板は、互いに水平方向に一定距離離れて設けられており、該案内板の間は、上記圧縮板で圧縮された上記使い捨てオムツ又は生理用ナプキンを収縮状態で上記包装袋の開口部に案内する案内路となっており、
　上記一対の案内板の下端縁同士は、水平方向に配される別の板により連結されており、該一対の案内板及び該別の板全体の縦断面形状は、コ字状となっていることを特徴とする圧縮包装装置。」
と訂正する。
　訂正事項ｂ
　特許請求の範囲の請求項２を削除する。
　訂正事項ｃ
　特許請求の範囲
「【請求項３】　上記圧縮板又は上記案内板の内面がテフロン材からなることを特徴とする請求項１又は２記載の圧縮包装装置。」を
「【請求項２】　上記圧縮板又は上記案内板の内面がテフロン材からなることを特徴とする請求項１記載の圧縮包装装置。」
と訂正する。
　訂正事項ｄ
　特許請求の範囲
「【請求項４】　請求項１記載の圧縮包装装置の使用方法であって、上記押子が上記物品を包装内に押出す際に、上記案内板を上記移動手段で包装袋内から脱抜させるか、又は上記押子を更に押出させて包装袋を移動させて該包装袋内から脱抜させるかにより、上記包装袋を案内板の先端部に対して相対的に移動させることを特徴とする圧縮包装装置の使用方法。」を
「【請求項３】　請求項１記載の圧縮包装装置の使用方法であって、上記押子が上記使い捨てオムツ又は生理用ナプキンを包装内に押出す際に、上記案内板を上記移動手段で包装袋内から脱抜させるか、又は上記押子を更に押出させて包装袋を移動させて該包装袋内から脱抜させるかにより、上記包装袋を案内板の先端部に対して相対的に移動させることを特徴とする圧縮包装装置の使用方法。」
と訂正する。
　訂正事項ｅ
　明細書の段落【０００５】における「収縮可能な物品」の後に、「である使い捨てオムツ又は生理用ナプキン」を加入する。
　訂正事項ｆ
　明細書の段落【０００６】の記載を、
「【課題を解決するための手段】
　本発明は、接近又は離間することにより、整列された状態で供給される使い捨てオムツ又は生理用ナプキンを水平方向に圧縮可能に保持する一対の圧縮板と、上記使い捨てオムツ又は生理用ナプキンを圧縮した状態で上記圧縮板間から物品の包装袋の開口部まで案内する一対の案内板と、上記圧縮板及び案内板を一体的に移動させ且つ上記案内板の先端部を上記包装袋内に挿脱させる圧縮板及び案内板の移動手段と、を具備すると共に、上記案内板の先端部が包装袋内にある位置で上記使い捨てオムツ又は生理用ナプキンを案内板の先端部から上記包装袋内に押出す物品の押子とを具備してなり、上記一対の案内板は、互いに水平方向に一定距離離れて設けられており、該案内板の間は、上記圧縮板で圧縮された上記使い捨てオムツ又は生理用ナプキンを収縮状態で上記包装袋の開口部に案内する案内路となっており、上記一対の案内板の下端縁同士は、水平方向に配される別の板により連結されており、該一対の案内板及び該別の板全体の縦断面形状は、コ字状となっていることを特徴とする圧縮包装装置を提供することにより、上記目的を達成したものである。」と訂正する。
　訂正事項ｇ
　明細書の段落【０００７】における「上記収縮可能な物品」の後に、「である使い捨てオムツ又は生理用ナプキン（以下、単に物品と言う場合、使い捨てオムツ又は生理用ナプキンを意味する）」を加入する。
　訂正事項ｈ
　明細書の段落【００１０】における「略Ｔ字型の」を削除する。
　訂正事項ｉ
　明細書の段落【００１７】における「上記実施例では、圧縮板３と案内板４を別々に設けたが、…設けることができる。更に、」を削除する。
　
２　訂正の適否
　上記訂正について検討する。
　訂正事項ａは、特許請求の範囲の【請求項１】において、圧縮包装の対象である「収縮物品」なる構成を、「整列された状態で供給される使い捨てオムツ又は生理用ナプキン」なる構成に限定するものであり、この限定した構成は、願書に添付した明細書の発明の詳細な説明の段落【０００１】、【０００７】、【０００９】、【００１０】、【００１４】、【図１】、【図２】に記載されていたものであるから、この訂正は、特許請求の範囲の減縮を目的とする訂正であり、願書に添付した明細書又は図面に記載した事項の範囲内においてなされたものであり、しかも、実質上特許請求の範囲を拡張し、又は変更するものでもない。
　訂正事項ｂは、特許請求の範囲の【請求項２】を削除するものであるから、この訂正は、特許請求の範囲の減縮を目的とする訂正であり、願書に添付した明細書又は図面に記載した事項の範囲内においてなされたものであり、しかも、実質上特許請求の範囲を拡張し、又は変更するものでもない。
　訂正事項ｃは、訂正事項ｂの訂正による【請求項２】の削除に伴い、訂正前の【請求項３】を形式的に繰り上げるもので、さらに、訂正後の【請求項２】の「請求項１又は２」なる記載を「請求項１」なる記載に訂正するものであるから、この訂正は、特許請求の範囲の減縮を目的とする訂正であり、願書に添付した明細書又は図面に記載した事項の範囲内においてなされたものであり、しかも、実質上特許請求の範囲を拡張し、又は変更するものでもない。
　訂正事項ｄは、訂正事項ｂの訂正による【請求項２】の削除に伴い、訂正前の【請求項４】を形式的に繰り上げるもので、さらに、訂正後の【請求項３】の「上記物品」なる構成を「上記使い捨てオムツ又は生理用ナプキン」に限定するもので、この限定した構成は、願書に添付した明細書の発明の詳細な説明の段落【０００１】、【０００７】、【０００９】、【００１０】、【００１４】、【図１】、【図２】に記載されていたものであるから、この訂正は、明りょうでない記載の釈明及び特許請求の範囲の減縮を目的とする訂正であり、願書に添付した明細書又は図面に記載した事項の範囲内においてなされたものであり、しかも、実質上特許請求の範囲を拡張し、又は変更するものでもない。
　訂正事項ｅ〜ｇは、訂正後の【請求項１】の記載と発明の詳細な説明の記載との整合性を図るもので、この訂正は、明りょうでない記載の釈明を目的とする訂正であり、願書に添付した明細書又は図面に記載した事項の範囲内においてなされたものであり、しかも、実質上特許請求の範囲を拡張し、又は変更するものでもない。
　訂正事項ｈは、「略Ｔ字型の載置パネル」なる構成を「載置パネル」なる構成に訂正して、図面との整合性を図るもので、この訂正は、明りょうでない記載の釈明を目的とする訂正であり、願書に添付した明細書又は図面に記載した事項の範囲内においてなされたものであり、しかも、実質上特許請求の範囲を拡張し、又は変更するものでもない。
　訂正事項ｉは、訂正事項ｂの訂正による【請求項２】の削除に伴い、特許請求の範囲と発明の詳細な説明との整合性を図るもので、この訂正は、明りょうでない記載の釈明を目的とする訂正であり、願書に添付した明細書又は図面に記載した事項の範囲内においてなされたものであり、しかも、実質上特許請求の範囲を拡張し、又は変更するものでもない。
　
　したがって、訂正事項ａ〜ｉの訂正は、特許法等の一部を改正する法律（平成６年法律第１１６号）附則６条１項の規定によりなお従前の例によるとされる、特許法第１２０条の４第３項において準用する平成６年法律第１１６号による改正前の特許法第１２６条第１項ただし書き及び第２項の規定に適合するので、本件訂正を認める。
　
〔３〕異議申立てについて
３−１　異議申立の理由の概要
　異議申立人は、訂正前の請求項１乃至４に係る発明は、甲第１乃至６号証に記載された発明に基づいて当業者が容易に発明をすることができたものであるので、特許法第２９条第２項の規定により特許を受けることができないものであり、さらに、請求項２及び発明の詳細な説明の記載に不備があるので、特許法第３６条第４及び第５項の規定により特許を受けることができなものであるから、訂正前の請求項１乃至４に係る発明についての特許は取り消されるべきである旨主張している。
　
　甲第１号証：特開平５−１７８３１４号公報
　甲第２号証：米国特許第４，７６３，５７４号明細書
　甲第３号証：米国特許第３，５０１，８９０号明細書
　甲第４号証：特開平４−３５２６２３号公報
　甲第５号証：特開昭５９−１２４２０３号公報
　甲第６号証：実公平３−３９３６２号公報
　
３−２　本件発明
　上記のとおり訂正が認められたので、本件請求項１乃至３に係る発明は、訂正明細書の特許請求の範囲の請求項１乃至３に記載されたとおりのものと認める（上記〔２〕の「１　訂正請求の内容」の「訂正事項ａ」、「訂正事項ｃ」及び「訂正事項ｄ」参照。）。
　
３−３　特許法第２９条第２項違反について
（１）甲各号証の記載事項
（ア）甲第１号証（取消理由に引用した刊行物１）
　甲第１号証の段落【０００７】及び図面の記載によれば、甲第１号証には、「油あげのような収縮物品４１を圧縮した状態で物品包装袋３７内まで案内する角筒型の案内板３１と、上記案内板の先端部を包装袋内に挿脱させるための環状レール２９及びロッド２６等、回転軌道上で前記案内板３１を上下方向に連動させる移動手段と、上記案内板３１の先端部が包装袋内にある位置で上記物品４１を同案内板３１の先端部から上記包装袋内に押し出す押子４３とを備える圧縮包装装置。」という発明が記載されているものと認められる。
（イ）甲第２号証（取消理由に引用した刊行物２）
　甲第２号証の第３欄第２４〜５０行、第４欄第２４〜３３行及び図面の記載によれば、甲第２号証には、「干草梱包物として示された収縮物品２１をラム２０で圧縮したあと、前記の圧縮した収縮物品２１を別個のラム２５により直角方向の一対の案内板１３，１８の間を通してチャンンバー１４内に押し出し解放する」という技術が記載されているものと認められる。
（ウ）甲第３号証（取消理由に引用した刊行物３）
　甲第３号証の第２欄第２６行〜第３欄第１８行、第４欄第５６行〜第５欄第２４行及び図面の記載によれば、甲第３号証には「籾殻として示される収縮物品３１をラム１８で圧縮したあと、前記の圧縮した収縮物品３１を別個のラム３８により、同じく直角方向の両側一対の案内板３０，７８を通して容器４４内に収容する」という技術が記載されているものと認められる。
（エ）甲第４号証（取消理由に引用した刊行物４）
　甲第４号証の段落【０００１】、【００１１】、【００１５】、【００１８】及び図面の記載によれば、甲第４号証には「接近又は離間することにより、整列された状態で供給される使い捨てオムツ又は生理用ナプキンを水平方向に圧縮可能に保持する一対の圧縮板と、上記使い捨てオムツ又は生理用ナプキンを包装袋内に押出すアームプッシャーとを具備した圧縮包装装置。」という発明が記載されているものと認められる。
（オ）甲第５号証（取消理由に引用した刊行物５）
　甲第５号証の第２頁右上欄第４行〜同頁左下欄第１行及び第１図の記載によれば、甲第５号証には「物品２を載せた受板４の縦断面形状がコ字状」という技術が記載されているものと認められる。
（カ）甲第６号証（取消理由に引用した刊行物６立人提出の甲第６号　　　証）
　甲第６号証の第３欄第４３行〜第４欄第２行、第４欄第１２〜１７行及び第８図の記載によれば、甲第６号証には、「載置板の上面にテフロンを施して、搬送物との摩擦を低減させる」という技術が記載されているものと認められる。
（２）対比・判断
　本件請求項１に係る発明（以下、「本件発明」という。）と甲第４号証記載の発明とを対比すると、両者は、
「接近又は離間することにより、整列された状態で供給される使い捨てオムツ又は生理用ナプキンを水平方向に圧縮可能に保持する一対の圧縮板を具備した圧縮包装装置。」である点で一致しているが、本件発明は、上記使い捨てオムツ又は生理用ナプキンを圧縮した状態で上記圧縮板間から物品の包装袋の開口部まで案内する一対の案内板と、上記圧縮板及び案内板を一体的に移動させ且つ上記案内板の先端部を上記包装袋内に挿脱させる圧縮板及び案内板の移動手段と、を具備すると共に、上記案内板の先端部が包装袋内にある位置で上記使い捨てオムツ又は生理用ナプキンを案内板の先端部から上記包装袋内に押出す物品の押子とを具備してなり、上記一対の案内板は、互いに水平方向に一定距離離れて設けられており、該案内板の間は、上記圧縮板で圧縮された上記使い捨てオムツ又は生理用ナプキンを収縮状態で上記包装袋の開口部に案内する案内路となっており、上記一対の案内板の下端縁同士は、水平方向に配される別の板により連結されており、該一対の案内板及び該別の板全体の縦断面形状は、コ字状となっているのに対し、甲第４号証に記載の発明は、使い捨てオムツ又は生理用ナプキンを包装袋内に押出す押子として機能するアームプッシャーを具備するものの、一対の案内板、圧縮板及び案内板の移動手段を具備することについては、記載も示唆もされていない。
　そして、本件発明は、「接近又は離間することにより、整列された状態で供給される使い捨てオムツ又は生理用ナプキンを水平方向に圧縮可能に保持する一対の圧縮板」なる構成と上記相違点に挙げた構成が相俟って、甲第４号証記載の発明からは予測し難い「収縮可能な物品である使い捨てオムツ又は生理用ナプキンを十分に圧縮した状態で包装し包装袋内の物品の収縮でよれや圧縮ずれ等を生じさせることがない。」という訂正明細書記載の効果を奏するものである。そして、甲第１〜３、５、６号証に記載のものは、圧縮包装の対象物品が、本件発明のような、整列された状態で供給される使い捨てオムツ又は生理用ナプキンとは全く異なるものであり、しかも、上記相違点に挙げた構成及び作用効果は、甲第１〜３、５、６号証記載のものには開示も示唆もされていない。
　したがって、本件請求項１に係る発明は、上記相違点に挙げた構成を開示又は示唆しない甲第１〜６号証記載の発明に基づいて、当業者が容易に発明をすることができたものとすることができない。
　また、本件請求項２に係る発明、及び本件請求項３に係る発明は、請求項１を引用することにより、上記相違点に挙げた構成をその一部とするものであるから、上記相違点に挙げた構成を開示又は示唆しない甲第１〜６号証に記載された発明に基づいて、当業者が容易に発明をすることができたものとすることができない。
　
３−４　特許法第３６条第４及び第５項違反について
　上記〔２〕の「１　訂正請求の内容」の「訂正事項ｂ」、「訂正事項ｈ」及び「訂正事項ｉ」により特許法第３６条第４及び第５項違反は解消している。
　
〔４〕むすび
　以上のとおりであるから、特許異議申立ての理由及び証拠によっては、本件請求項１〜３に係る発明を取り消すことができない。
　よって、結論のとおり決定する。
【異議決定日】
平成１６年８月１８日（２００４．８．１８）
【訂正の要旨】
審決（決定）の【理由】欄参照。
（５４）【発明の名称】
圧縮包装装置
（５７）【特許請求の範囲】
　【請求項１】　接近又は離間することにより
、整列された状態で供給される使い捨てオムツ又は生理用ナプキン
使い捨てオムツ又は生理用ナプキン
使い捨てオムツ又は生理用ナプキン
　上記一対の案内板は、互いに水平方向に一定距離離れて設けられており、該案内板の間は、上記圧縮板で圧縮された上記
使い捨てオムツ又は生理用ナプキン
　上記一対の案内板の下端縁同士は、水平方向に配される別の板により連結されており、該一対の案内板及び該別の板全体の縦断面形状は、コ字状となっていることを特徴とする圧縮包装装置。
　【請求項
２
１記
　【請求項
３
使い捨てオムツ又は生理用ナプキン
【発明の詳細な説明】
　【０００１】
　【産業上の利用分野】
　本発明は、圧縮包装装置に関するものであり、より詳細には、使い捨てオムツ、ナプキン等の収縮可能な物品を収縮させて包装する圧縮包装装置に関するものである。
　【０００２】
　【従来の技術】
　一般に使い捨てオムツ、生理用ナプキン等のいわゆる軟性物品（収縮可能な物品）においては、樹脂フィルム製の包装袋に、これらを一体包装（集積包装）して製品としている。この場合、通常コンパクト包装が行われ、軟性物品を圧縮後、充填プッシャー等にて包装袋の開口端から充填する。
　【０００３】
　従来の物品の圧縮包装装置は、物品の移送路に回転盤式のホルダ機構を設け、ホルダ機構は回転盤からなり、その回転盤には、物品の移送路に合わせて物品の挿通孔が複数形成され、その回転盤の裏側に包装袋の開口端を拡開させた状態で保持する爪を備えている。そして、回転盤を回転させながら物品の充填位置に包装袋が回転により順次供給されるようになっている。
　充填位置では図３に示す如く、物品１が圧縮された状態で一対の爪７０、７０の間に配され、後方からプッシャー７１で包装袋２の開口に押し込むようになっている。
　【０００４】
　また、この他の圧縮包装装置としては図４に示す如く、物品１の圧縮可能な方向から一対のナイフベルト７５、７５で物品１を挟み、そのベルト７５、７５間の隙間を減少させることで物品１を圧縮し、ベルト７５、７５を包装袋２に挿入する。そして、ベルト７５を作動させながらベルト７５自体を包装袋２から引き抜くことにより、物品１は収縮した状態で包装袋２内に残るものが提案されている（特開平３−８５２３２号公報）。
　【０００５】
　【発明が解決しようとする課題】
　しかしながら、図３に示す従来の圧縮包装装置では、装置的の回転盤の型替え作業が煩雑となる。また操作上、一対の爪の先端から物品の圧縮は開放されるため、挿入される包装袋２の内側との摩擦で図３に示す如く物品の両側が折れたり、中央部の物品群に比べて移動が遅れる等の問題があった。
　またナイフベルトでは上記問題はないが、図４に示す如く包装品１Ａとなった後、ナイフベルト７５の厚さ分がボイドボリュームとなり圧縮効果が著しく低減し、またベルト７５間での圧縮力を高めると、ベルト回転の負荷が大きくなりベルト寿命が短くベルトの交換等の作業量が増える問題があった。
　従って、本発明の目的は、収縮可能な物品
である使い捨てオムツ又は生理用ナプキン
　【０００６】
　【課題を解決するための手段】
　本発明は、接近又は離間することにより
、整列された状態で供給される使い捨てオムツ又は生理用ナプキン
使い捨てオムツ又は生理用ナプキン
使い捨てオムツ又は生理用ナプキン
使い捨てオムツ又は生理用ナプキン
　【０００７】
　【作用】
　上記収縮可能な物品
である使い捨てオムツ又は生理用ナプキン（以下、単に物品と言う場合、使い捨てオムツ又は生理用ナプキンを意味する）
　圧縮板は物品を圧縮後、案内板と共に移動手段によって移動させられ、案内板の先端部が包装袋内に挿入される時又は挿入された時、押子が作動して物品を圧縮板間から案内板の先端部の間、即ち包装袋内の深部まで押し込む。そして、押子を静止した場合、この状態で案内板が移動手段により戻り動作を開始すると、物品が収縮した状態で包装袋内に残る。尚、押子を更に前進させた場合、包装袋は物品の移動先端部で押出されて移動し案内板の先端から徐々に離れる。
　従って、案内板は薄く形成することができるため、圧縮効果を十分に発揮させることができ、また押子と案内板との相対的移動があっても包装袋に膨張状態で強制的に物品を押し込まないため、収縮物品によれや圧縮ずれが生じ難い。
　【０００８】
　【実施例】
　以下、本発明に係る圧縮包装装置の実施例を添付図面に従って説明する。
　図１（Ａ）及び（Ｂ）は、本実施例の圧縮包装装置の要部斜視図である。図２は、図１（Ｂ）の圧縮包装装置の案内板の先端部の包装袋内での断面図である。
　【０００９】
　図１及び図２に示す如く、本実施例の圧縮包装装置１０は、接近又は離間することにより収縮可能な生理用品等の整列物品１を水平方向に圧縮可能に保持する一対の圧縮板３、３と、その物品１を圧縮した状態で圧縮板３、３間から物品１の包装袋２の開口部２Ａまで案内する一対の案内板４、４と、圧縮板３及び案内板４を一体的に移動させ且つその案内板４の先端部４Ａをその包装袋２内に挿脱させる圧縮板３及び案内板４の往復移動用にレール５、５上を移動する移動台６とを具備すると共に、その案内板４の先端部４Ａが包装袋２内にある位置で物品１を案内板４、４の先端部４Ａ、４Ａから包装袋２内に押出す物品のプッシャー８とを具備してなる。
　【００１０】
　本実施例の圧縮包装装置１０を更に説明すると、図１及び図２に示す如く、包装される生理用ナプキン等の物品１は圧縮包装装置１０の前段で、その搬送方向に対して直角方向で整列されこの方向より圧縮可能な状態で供給される。物品１はレール５、５を移動する移動台６に取り付けられ
た載
　【００１１】
　載置パネル７上には互いに所定の距離離れた一対の圧縮板３、３が立設して配され、圧縮板３、３は図示しない駆動手段によって互いに接近或いは離間して物品１を圧縮することができるようになっている。駆動手段は強力な推力が要求されるため、油圧シリンダやサーボモータであることが望ましい。特にサーボモータを用いた場合は１本のボールネジに左右のネジを切り、同一の回転で圧縮、開放動作ができるようにして、駆動源を１つのモータですることができる。またサーボモータの制御数値を任意に設定することで型替え作業の効率がアップする等の利点がある。
　更に、圧縮板３、３は移動台６のレール５、５上での移動と共に移動するように取り付けられている。
　【００１２】
　載置パネル７上には互いに水平方向に一定の距離離れた一対の案内板４、４が立設して取付られている。案内板４、４の間は圧縮板３、３で圧縮された物品１を収縮状態で後段の包装袋２の開口２Ａに案内する案内路となっている。また、図１（Ａ）に示すように、上記一対の案内板４、４の下端縁同士は、水平方向に配される別の板９により連結されており、該一対の案内板４、４及び該別の板９全体の縦断面形状は、コ字状となっている。
　案内板４は滑面のテフロン材を物品１が接触する面に貼付したものからなる。また本発明では案内板４の厚みは６〜１２ｍｍの範囲にあることが望ましく、厚みが上記範囲を下回ると、案内板４がフレキシブルに変形して物品１を十分に圧縮保持できなくなるおそれがあり、上記範囲を上回ると物品１の圧縮効果が低減されて十分な圧縮包装ができなくなる。
　【００１３】
　案内板４は移動台６、圧縮板３、及び載置パネル７と一体となってレール５の敷設方向（物品の案内方向又は図１（Ａ）の矢印Ａ）に移動し、案内板４の先端部４Ａは包装袋２の開口４Ａから深部まで挿入できるようになっている。
　また圧縮板３、３間、及び案内板４、４間の上方にはプッシャー８が設けられ、プッシャー８は物品１の移動路まで下動して物品１を圧縮板３、３間から少なくとも案内板４、４間の先端部４Ａ、４Ａまで押出すことが可能となっている。
　【００１４】
　このように構成された圧縮包装装置１０では、図１（Ａ）及び（Ｂ）に示す如く前段で整列させた状態で収縮可能な物品１が載置パネル７に供給され、圧縮板３、３の間が狭められて圧縮される。そして、物品１はその圧縮により巾が収縮し、一対の案内板４、４の先端部４Ａ、４Ａまでの移動が可能となる。
　圧縮後、移動台６がレール５、５上を図１（Ａ）の矢印Ａの方向に移動し、圧縮板３、案内板４及び載置パネル７が一体的に移動する。これにより、図１（Ｂ）及び図２に示す如く案内板４の先端部４Ａが包装袋２の開口２Ａから深部まで挿入される。
　【００１５】
　次にプッシャー８が移動台６によって既に通った物品１の搬送路上に下動し、物品１の背後を押圧し、物品１を圧縮板３、３の間から案内板４、４の先端部４Ａ、４Ａの間まで押出す。そして、プッシャー８が静止し、この状態で移動台６が図１（Ｂ）に示す如く矢印Ｂの方向に戻り、案内板４の先端部４Ａを包装袋２から脱抜する。これにより、物品１が整列した状態で、且つ収縮した状態で包装袋２内に残る。
　【００１６】
　この場合、案内板４は薄く形成してあるため、圧縮板３、３での圧縮効果を十分に発揮させることができ、またプッシャー８の移動があっても包装袋に膨張状態で強制的に物品を押し込まないため、収縮物品１によれや圧縮ずれが生じ難い。
　また移動台６の後退操作により、元の状態が維持され、順次物品１を載置パネル７に供給することにより、高速化を図ることができる。従って、従来よりも低価格で製品の圧縮効果を無駄にすることなく型替え作業の簡単な圧縮包装装置１０を構築することが可能となる。
　【００１７】
　上記実施例では、プッシャー８を案内板４の先端部４Ａで静止したが、更に前進させても良い。この場合、包装袋２が物品１の移動先端部により押されプッシャー８と共に移動し案内板４の先端から徐々に離れ、収縮物品１を封するシール場所まで搬送し、ライン自体の簡素化を図ることができる。
　ま
た、
　【００１８】
　【発明の効果】
　本発明に係る圧縮包装装置によれば、収縮可能な物品を十分に圧縮した状態で包装し且つ包装袋内の物品の収縮でよれや圧縮ずれ等を生じさせることがない。
【図面の簡単な説明】
　【図１】
　（Ａ）及び（Ｂ）は、本実施例の圧縮包装装置の要部斜視図である。
　【図２】
　図１（Ｂ）の圧縮包装装置の案内板の先端部の包装袋内での断面図である。
　【図３】
　従来の装置における包装袋の開口付近の断面図である。
　【図４】
　従来の装置における包装袋の開口付近の断面図である。
　【符号の説明】
　１　　　整列物品
　２　　　包装袋
　２Ａ　　包装袋の開口
　３　　　圧縮板
　４　　　案内板
　４Ａ　　案内板の先端部
　５　　　レール
　６　　　移動台
　７　　　物品の載置パネル
　８　　　物品のプッシャー
　９　　　別の板
　１０　　圧縮包装装置